【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
延長部品（１２、１１２）を基準部品（１、１０１）に対して同時に上に折り、伸ばすための機構であって、該機構は、
一端を前記基準部品と相互連結し、他端を前記延長部品と枢着相互連結した少なくとも１つの「本質的に固定」の線形に延びる手段（１０、１１０）と、
少なくとも１つの抜き差し滑り輪郭要素（１１、１１１）からなる少なくとも１つのヒンジ式に動く線形に延びる手段（１１、１１１）と、を含み、少なくとも１つの抜き差し滑り輪郭要素（１１、１１１）は、前記基準部品（１、１０１）の旋回点（Ｚ、Ｚ’）に枢着連結された第１輪郭体を有し、前記延長部品（１２、１２２）と固く相互連結した他の輪郭体（Ｂ）は、旋回点（Ｓ、Ｓ’）を介して前記本質的に固定の線形に延びる手段（１０、１１０）の前記他端と枢着相互連結されているものにおいて、
前記本質的に固定の線形に延びる手段は、少なくとも１つの抜き差し滑り輪郭要素（１０、１１０）からなり、前記本質的に固定の滑り輪郭要素は、前記基準部品（１、１０１）と相互連結された第１輪郭体を有し、他の輪郭体（Ａ）は、前記延長部品（１２、１１２）と固く相互連結された前記抜き差し滑り輪郭要素（１１、１１１）の前記輪郭体（Ｂ）の旋回点（Ｓ、Ｓ’）を介して前記延長部品（１２、１１２）と枢着相互連結されていることを特徴とする、機構。
【請求項２】
本質的に固定の滑り輪郭要素及びヒンジ式に動く滑り輪郭要素の第１輪郭体及び他の輪郭体は、前記ヒンジ式に動く滑り輪郭要素が本質的に固定の滑り輪郭要素及び前記ヒンジ式に動く滑り輪郭要素の滑り運動と平行な平面でヒンジ式に動くように、前記互いに且つ基準部品と相互連結される、請求項１による機構。
【請求項３】
機構は、前記基準部品及び又は前記上に折れ、伸びる延長部品に関して対象に位置決めされた、２組の本質的に固定の抜き差し滑り輪郭要素及び２組のヒンジ式に動く抜き差し滑り輪郭要素を有する、請求項１又は２による機構。
【請求項４】
前記ヒンジ式に動く滑り輪郭要素の前記他の輪郭体は、前記延長部品の支持体として作用する、請求項１−３のいずれか１項による機構。
【請求項５】
本質的に固定の滑り輪郭要素は、ヒンジ式に動く滑り輪郭要素のヒンジ式に動く機能において本質的に固定の滑り輪郭要素の方向を変更するパンタグラフ骨組によって基準部品に相互連結される、請求項１−４のいずれか１項による機構。
【請求項６】
前記パンタグラフ骨組は、
本質的に固定の滑り輪郭要素（１０４の１１０）の前記第１輪郭体と前記基準部品（１０１）の間の旋回点連結部（２２）、
ヒンジ式に動く滑り輪郭要素（１０９の１１１）の前記第１輪郭体とパンタグラフ主部品（２１）の間の旋回点連結部（Ｎ'）、
ヒンジ式に動く滑り輪郭要素（１０９の１１１）の前記第１輪郭体と基準部品（１０１）の間の旋回点連結部（Ｚ'）、
前記本質的に固定の滑り輪郭要素（１０４の１１０）と前記パンタグラフ主部品（２１）の間の、更なる２つの旋回点（２４）及び（２５）によるレバー連結部（２３）、及び
前記パンタグラフ主部品（２１）と前記基準部品（１０１）の間のレバー連結部（１０２）、
を有する、請求項５による機構。
【請求項７】
前記滑り輪郭要素は、特に、ボールベアリング要素上を滑る、請求項１−６のいずれか１項による機構。
【請求項８】
チェア又はチェア支持体（１、１０１）に対して同時に上に折れ、伸びるフットレスト（１２、１１２）を有するリクライニングチェア構造において、請求項１−７のいずれか１項による機構を有し、該機構の前記延長部品が前記上に折れ、伸びるフットレストを構成する、リクライニングチェア構造。
【請求項９】
チェア支持体（１、１０１）に対して同時に上に折れ、且つ延びるフットレスト（１２、１１２）を有するリクライニングチェア構造であって、一端をチェア支持体と相互連結し、他端を前記フットレストと枢着相互連結した少なくとも１つの「本質的に固定」の線形に延びる手段（１０、１１０）、少なくとも１つの抜き差し滑り輪郭要素（１１、１１１）からなるヒンジ式に動く線形に延びる手段、を含み、前記抜き差し滑り輪郭要素（１１、１１１）は、チェア支持体（１、１０１）の旋回点（Ｚ、Ｚ’）に枢着連結された第１輪郭体を有し、前記延長部品（１２、１２２）と固く相互連結した他の輪郭体（Ｂ）は、旋回点（Ｓ、Ｓ’）を介して前記本質的に固定の線形に延びる手段（１０、１１０）の前記他端と枢着相互連結されているものにおいて、
前記本質的に固定の線形に延びる手段は、少なくとも１つの抜き差し滑り輪郭要素（１０、１１０）からなり、前記本質的に固定の滑り輪郭要素は、前記チェア支持体（１、１０１）と相互連結された第１輪郭体を有し、他の輪郭体（Ａ）は、前記前記フットレスト（１２、１１２）と固く相互連結された前記抜き差し滑り輪郭要素（１１、１１１）の前記輪郭体（Ｂ）の旋回点（Ｓ、Ｓ’）を介してフットレスト（１２、１１２）と枢着相互連結されていることを特徴とする、リクライニングチェア構造。
【請求項１０】
本質的に固定の滑り輪郭要素及びヒンジ式に動く滑り輪郭要素の第１輪郭体及び他の輪郭体は、前記ヒンジ式に動く滑り輪郭要素が前記本質的に固定の滑り輪郭要素及び前記ヒンジ式に動く滑り輪郭要素の滑り運動と平行な平面でヒンジ式に動くように互いに及びチェアと相互連結される、請求項９によるリクライニングチェア構造。
【請求項１１】
リクライニングチェア構造は、チェア及び又は上に折れ、伸びるフットレストに関して対象に位置決めされた、２組の本質的に固定の抜き差し滑り輪郭要素及び２組のヒンジ式に動く抜き差し滑り輪郭要素を有する、請求項９又は１０によるリクライニングチェア構造。
【請求項１２】
前記ヒンジ式に動く抜き差し滑り輪郭要素は、前記フットレストの支持体として作用する、請求項９−１１のいずれか１項によるリクライニングチェア構造。
【請求項１３】
本質的に固定の滑り輪郭要素の第一輪郭体は、ヒンジ式に動く滑り輪郭要素のヒンジ式に動く機能において本質的に固定の滑り輪郭要素の方向を変更するパンタグラフ骨組によってチェアに相互連結される、請求項９−１２のいずれか１項によるリクライニングチェア構造。
【請求項１４】
前記パンタグラフ骨組は、
本質的に固定の滑り輪郭要素（１０４の１１０）の前記第１輪郭体とチェアフレーム（１０１）の間の旋回点連結部（２２）、
ヒンジ式に動く滑り輪郭要素（１０９の１１１）の第１輪郭体とパンタグラフ骨組主部品（２１）の間の旋回点連結部（Ｎ'）、
ヒンジ式に動く滑り輪郭要素（１０４の１１０）の前記第１輪郭体とチェアフレーム（１０１）の間の旋回点連結部（Ｚ'）、
前記本質的に固定の滑り輪郭要素(１０４の１１０)と前記パンタグラフ骨組主部品（２１）の間の、２つの旋回点（２４）及び（２５）によるレバー連結部（２３）、及び
前記パンタグラフ骨組主部品（２１）とチェアフレーム（１０１）の間のレバー連結部（１０２）、
を伴う、請求項１３によるチェア構造。
【請求項１５】
前記滑り輪郭要素は、ボールベアリング要素上を滑る、請求項１−１４のいずれか１項によるチェア構造。
【手続補正２】
【補正対象書類名】明細書
【補正対象項目名】０００３
【補正方法】変更
【補正の内容】
【０００３】
かくしてフットレストの同時枢動及び滑り運動を達成するための、提案された特殊な装置は、一端が基準部品と連結され、他端が延長部と枢着連結された固定の線形に延びる手段、及び、一端が基準部品の旋回点と枢着連結され、他端が延長部品と固く連結され且つ固定の線形に延びる手段の他端と枢着連結されたヒンジ式に動く線形に延びる手段の一般的な原理を伴う。このような特殊な装置は、例えば欧州特許第１１３３９４０号明細書でしられており、該明細書は、シート又はアームチェアのフレームにヒンジ連結されたフレームと、滑り可能なアームによって、前記ヒンジ連結されたフレームに設けられたフットレストとを伴う、アームチェア、ソファ等のための伸び可能なフットレスト機構を開示しており、シートフレームに固く連結されたアクチェータの線形に延びるステムは、枢着連結部によって、滑り可能に支持されたフットレストに作用するので、アクチェータの延びは、フットレストの同時枢着及び滑り運動を引き起こす。しかしながら、この一般的な原理により作動する周知の装置は、コスト、重量、信頼性及び作動のなめらかさに関して欠点を有している。